(57)【要約】【課題】レンズ駆動装置の簡素化、小型化、軽量化等を図る。【解決手段】レンズＧ２を保持したレンズ枠２０、レンズ枠２０を光軸方向Ｌに案内するべく樹脂材料により形成された筒状部材１０、レンズ枠２０を光軸方向Ｌに移動させるべく手動により操作する操作部材５０を備え、レンズ枠２０は、環状部２１の一部に永久磁石２２を有し、操作部材５０は、筒状部材１０の外側において光軸方向Ｌに往復動自在に支持されかつレンズ枠２０の永久磁石２２と磁気的に吸引し合うように、全体が金属材料により又は一部に金属片を有するように形成されている。これにより、構造の簡略化、装置の小型化、軽量化を行え、ズーミングあるいはフォーカッシング操作を、手動により円滑かつ容易に行うことができる。【選択図】  図１ 
2005266360.tif 000002
【特許請求の範囲】
【請求項１】
レンズを保持したレンズ枠と、前記レンズ枠を光軸方向に案内するべく樹脂材料により形成された筒状部材と、前記レンズ枠を光軸方向に移動させるべく手動により操作する操作部材と、を備え、
前記レンズ枠は、磁石又は磁石と吸引し合う金属部の一方を有し、
前記操作部材は、前記筒状部材の外側において光軸方向に往復動自在に支持され，前記レンズ枠の磁石又は金属部と吸引し合う金属部又は磁石の他方を有する、
ことを特徴とするレンズ駆動装置。
【請求項２】
前記レンズ枠は、前記筒状部材の内周面に沿って光軸方向に摺動するべく樹脂材料により形成されると共に内側にレンズを保持する環状部と、前記環状部の外周の一部に設けられた永久磁石と、を有し、
前記操作部材は、前記筒状部材の外周面に沿って光軸方向に摺動するべく環状に形成され、少なくとも一部に前記金属部を有する、
ことを特徴とする請求項１記載のレンズ駆動装置。
【請求項３】
前記レンズ枠は、径方向の外側に向けて突出する突起を有し、
前記操作部材は、径方向の内側に向けて突出する突起を有し、
前記筒状部材は、その内周面において前記レンズ枠の突起を光軸方向に案内するガイド溝と、その外周面において前記操作部材の突起を光軸方向に案内するガイド溝とを有する、
ことを特徴とする請求項１又は２に記載のレンズ駆動装置。
【請求項４】
前記筒状部材は、その外周面において、光軸方向に配列された複数の凹凸からなるラックを有し、
前記操作部材は、前記ラックに噛合する噛合突起を有する、
ことを特徴とする請求項１ないし３いずれかに記載のレンズ駆動装置。
【請求項５】
前記噛合突起は、径方向の内側に向けて突出する前記突起を兼ね、
前記ラックは、前記筒状部材の外周面から内側に入り込んだ位置に形成されて、前記突起を光軸方向に案内するガイド溝を兼ねる、
ことを特徴とする請求項４記載のレンズ駆動装置。
【請求項６】
前記筒状部材は、光軸方向に配列された複数のレンズを保持し、
前記複数のレンズの少なくとも一つのレンズは、前記レンズ枠を介して保持されている、
ことを特徴とする請求項１ないし５いずれかに記載のレンズ駆動装置。
【発明の詳細な説明】
【技術分野】
【０００１】
本発明は、レンズを光軸方向に駆動するレンズ駆動装置に関し、特に、ズーミングあるいはフォーカッシングを行うべく手動操作により駆動するレンズ駆動装置に関する。
【背景技術】
【０００２】
従来のレンズ駆動装置としては、レンズを保持するレンズ枠、レンズ枠に設けられたフォロワピン、フォロワピンを光軸方向に案内するカム溝をもつ円柱カム等を備え、操作者が円柱カムを手動により回転させることで、レンズ枠を光軸方向に移動させるものが知られている（例えば、特許文献１参照）。
【０００３】
また、他のレンズ駆動装置としては、内周面にヘリコイドネジをもつ固定筒、レンズを保持し固定筒のヘリコイドネジに螺合された筒状の移動枠、移動枠の外周にキーを介して一体的に回転するように連結された回動部材、回動部材に連結された手動操作用のズームリング、固定筒の外周に回動自在に支持され電磁力により回動部材と一体的に回転し得るように形成された第２の回動部材、第２の回動部材に回転駆動力を及ぼすモータ等を備えたものが知られている。
この装置では、電磁力のオン／オフを制御することで、手動操作と電動操作との切替えが行え、手動操作の場合は、ズームリングを回転させると、回動部材及びキーを介して、レンズを保持した移動枠が回転しつつ光軸方向に移動するようになっている（例えば、特許文献２参照）。
【０００４】
【特許文献１】特開２００３−２５８９７１号公報
【特許文献２】特開２０００−１７１６７８号公報
【発明の開示】
【発明が解決しようとする課題】
【０００５】
ところで、上記従来のレンズ駆動装置においては、レンズ枠のフォロワピンをカム溝のカム作用により光軸方向に移動させるカム機構、あるいは、固定筒のヘリコイドネジに螺合したレンズ枠（移動枠）を回転させることにより光軸方向に移動させる送り機構等を採用するものであるため、構造が複雑であり、製造コストが高く、機械的な係合関係による送り機構であるが故に、駆動負荷等が増加して円滑な駆動が得られなくなる虞がある。
【０００６】
本発明は、上記従来技術の事情に鑑みて成されたものであり、その目的とするところは、構造の簡略化、低コスト化、小型化等を図りつつ、簡単な手動操作で円滑にレンズを光軸方向に駆動することができるレンズ駆動装置を提供することにある。
【課題を解決するための手段】
【０００７】
本発明のレンズ駆動装置は、レンズを保持したレンズ枠と、レンズ枠を光軸方向に案内するべく樹脂材料により形成された筒状部材と、レンズ枠を光軸方向に移動させるべく手動により操作する操作部材と、を備え、上記レンズ枠は、磁石又は磁石と吸引し合う金属部の一方を有し、上記操作部材は、筒状部材の外側において光軸方向に往復動自在に支持され，レンズ枠の磁石又は金属部と吸引し合う金属部又は磁石の他方を有する、ことを特徴としている。
この構成によれば、レンズを保持したレンズ枠が筒状部材の内周面において光軸方向に移動自在に支持され、操作部材が筒状部材の外周面において光軸方向に移動自在に支持され、又、レンズ枠の磁石（又は金属部）と操作部材の金属部（又は磁石）とは、筒状部材を通して磁気的に吸引し合うようになっている。したがって、操作者が、操作部材を掴んで光軸方向に移動させると、操作部材の移動に追従してレンズ枠が移動し、レンズが光軸方向の所望の位置に移動させられる。このように、磁石（例えば、永久磁石あるいは電磁石）が発生する磁力を用いてレンズ枠を移動させるため、構造が簡単で、装置を小型化でき、操作を円滑かつ容易に行うことができる。
【０００８】
上記構成において、レンズ枠は、筒状部材の内周面に沿って光軸方向に摺動するべく樹脂材料により形成されると共に内側にレンズを保持する環状部と、環状部の外周の一部に設けられた永久磁石と、を有し、操作部材は、筒状部材の外周面に沿って光軸方向に摺動するべく環状に形成され、少なくとも一部に金属部を有する、構成を採用することができる。
この構成によれば、レンズ枠が樹脂材料により形成された環状部の一部に永久磁石をもち、操作部材がその少なくとも一部に金属部をもつ構成故に、装置を、さらに軽量化、小型化、簡略化することができる。
【０００９】
上記構成において、レンズ枠は、径方向の外側に向けて突出する突起を有し、操作部材は、径方向の内側に向けて突出する突起を有し、筒状部材は、その内周面においてレンズ枠の突起を光軸方向に案内するガイド溝と、その外周面において操作部材の突起を光軸方向に案内するガイド溝とを有する、構成を採用することができる。
この構成によれば、レンズ枠の突起が筒状部材のガイド溝に沿って案内されるため、レンズ枠は、光軸回りに回転することなく、光軸方向にのみ移動させられる。したがって、安定した光学特性が得られる。
また、操作部材の突起が筒状部材のガイド溝に沿って案内されるため、操作部材は、光軸回りに回転することなく、光軸方向にのみ移動させられる。したがって、操作者が光軸方向に押圧力を加えるだけで、筒状部材を光軸方向にのみ移動させることができる。
さらに、レンズ枠がガイド溝により光軸方向にのみ案内されかつレンズ枠の一部に磁石（又は金属部）が設けられ、筒状部材の一部に金属部（又は磁石）が設けられる場合には、レンズ枠と筒状部材とは相対的に回転しないため、磁石と金属部との対応関係のずれを防止でき、両者間に大きな磁気的吸引力を発生させることができる。
【００１０】
上記構成において、筒状部材は、その外周面において、光軸方向に配列された複数の凹凸からなるラックを有し、操作部材は、ラックに噛合する噛合突起を有する、構成を採用することができる。
この構成によれば、操作部材を移動させると、その噛合突起が光軸方向に配列された筒状部材上のラックに噛み合うため、操作部材及びレンズ枠（レンズ）を、光軸方向の所望の位置に位置決めすることができる。
【００１１】
上記構成において、噛合突起は、径方向の内側に向けて突出する上記突起を兼ね、ラックは、筒状部材の外周面から内側に入り込んだ位置に形成されて、上記突起を光軸方向に案内するガイド溝を兼ねる、構成を採用することができる。
この構成によれば、構造の簡略化を達成しつつ、安定した光学特性を確保できると共に、レンズ枠（レンズ）を光軸方向の所望の位置に位置決めすることができる。
【００１２】
上記構成において、筒状部材は、光軸方向に配列された複数のレンズを保持し、複数のレンズの少なくとも一つのレンズは、上記レンズ枠を介して保持されている、構成を採用することができる。
この構成によれば、構造の簡略化、小型化等を達成しつつ、ズーミングあるいはフォーカッシング等の操作を、手動により容易にかつ円滑に行うことができる。
【発明の効果】
【００１３】
上記構成のレンズ駆動装置によれば、構造の簡略化、低コスト化、小型化等を達成しつつ、簡単な手動操作で、円滑に、素早く、ズーミングあるいはフォーカッシング等の操作を行うことができ、又、ズーミング比を大きく設定することもできる。
【発明を実施するための最良の形態】
【００１４】
以下、本発明の最良の実施形態について、添付図面を参照しつつ説明する。
図１ないし図３は、本発明に係るレンズ駆動装置の一実施形態を示すものであり、図１は装置の外観斜視図及び一部断面図、図２は筒状部材及びレンズ枠を示す外観斜視図、図３は装置の断面図である。
【００１５】
このレンズ駆動装置は、図１ないし図３に示すように、円筒状の筒状部材１０、筒状部材１０に対して光軸方向Ｌに順次に配列されたレンズＧ１、レンズＧ２、レンズＧ３、レンズＧ２を保持すると共に内周面１１に摺動自在に支持されたレンズ枠２０、レンズＧ１を固定する固定枠３０、レンズＧ３を固定する固定枠４０、筒状部材１０の外周面１２に摺動自在に支持された操作部材５０等を備えている。
【００１６】
筒状部材１０は、図１（ａ），（ｂ）、図２（ａ）、図３に示すように、樹脂材料により円筒状に形成されている。そして、その内周面１１には、１２０度間隔で光軸方向Ｌに伸長する３つのガイド溝１１ａが形成され、その外周面１２には、所定の位置において光軸方向Ｌに伸長する１つのガイド溝１２ａが形成されている。
【００１７】
レンズ枠２０は、図１（ｂ）、図２（ｂ）、図３に示すように、樹脂材料により形成され内側にレンズＧ２を保持する環状部２１、環状部２１の外周面において等間隔で接合された３つの永久磁石２２、環状部２１の一部から径方向の外側に向けて突出する３つの突起２１ａ等により形成されている。
環状部２１は、その外周面が筒状部材１０の内周面１１をガタツキなく摺動する外径寸法に形成されている。３つの突起２１ａは、筒状部材１０の内周面１１に形成されたガイド溝１１ａに入り込んで、光軸方向Ｌに案内されるようになっている。
すなわち、レンズ枠２０は、筒状部材１０の内周面１１において、光軸方向Ｌにのみ移動自在に（摺動自在に）に支持されるようになっている。
【００１８】
固定枠３０は、図１（ａ），（ｂ）、図３に示すように、樹脂材料により環状に形成されており、レンズＧ１を筒状部材１０の取付け凹部１３に嵌め込んだ後に、外側からレンズＧ１を押圧しつつ筒状部材１０に連結して、レンズＧ１を所定の位置に固定するものである。したがって、レンズＧ１を筒状部材１０に固定できるものであれば、その他の形状及び構造を採用することができる。
【００１９】
固定枠４０は、樹脂材料により環状に形成されており、レンズＧ３を筒状部材１０の取付け凹部１４に嵌め込んで、外側から押圧しつつ筒状部材１０に連結して、レンズＧ３を所定の位置に固定するものである。したがって、レンズＧ３を筒状部材１０に固定できるものであれば、その他の形状及び構造を採用することができる。
【００２０】
操作部材５０は、図１（ａ），（ｂ）、図３に示すように、筒状部材１０の外周面１２に外嵌されて光軸方向Ｌに摺動するように、磁性体の金属材料を用いて環状に形成されている。そして、その内周面５１の一部には、径方向の内側に向けて突出する突起５１ａが形成されている。突起５１ａは、筒状部材１０の外周面１２に形成されたガイド溝１２ａに入り込んで、光軸方向Ｌに案内されるようになっている。この操作部材５０は、全周においてレンズ枠２０の永久磁石２２と磁気的に吸引し合う金属部を画定するものである。
すなわち、操作部材５０は、筒状部材１０の外周面１２において、光軸方向Ｌに移動自在に（摺動自在に）支持されるようになっている。
【００２１】
尚、ここでは、操作部材５０の全周が金属部を画定するように全体を金属材料により形成したが、レンズ枠２０の永久磁石２２と対応する角度領域においてのみ金属部を画定するように、操作部材５０を樹脂材料により形成し、所定の角度領域に金属部としての金属片を埋設する構成を採用してもよい。
【００２２】
次に、この装置の組付け手順について説明する。
先ず、永久磁石２２及びレンズＧ２を保持したレンズ枠２０を、その突起２１ａがガイド溝１１ａに位置決めされるようにして、筒状部材１０（の内周面１１）に摺動自在に内嵌させる。
続いて、操作部材５０を、その突起５１ａがガイド溝１２ａに位置決めされるようにして、筒状部材１０（の外周面１２）に摺動自在に外嵌させる。
続いて、筒状部材１０の取付け凹部１３にレンズＧ１を嵌め込み、固定枠３０を筒状部材１０に嵌合してレンズＧ１を固定し、又、筒状部材１０の取付け凹部１４にレンズＧ３を嵌め込み、固定枠４０を筒状部材１０に嵌合してレンズＧ３を固定する。
これにより、レンズ駆動装置の組付けが完了する。このように、部品点数が少なく、構造が簡単であるが故に、組付け作業を簡単に行うことができる。
【００２３】
次に、この装置の動作について説明すると、操作者が、操作部材５０を掴んで光軸方向Ｌに移動させると、操作部材５０とレンズ枠２０の永久磁石２２との間に発生する磁力（磁気的吸引力）により、操作部材５０の移動に追従してレンズ枠２０が光軸方向Ｌに移動し、レンズＧ２が光軸方向Ｌの所望の位置に移動させられる。これにより、ズーミング操作（あるいは、フォーカッシング操作）が容易にかつ円滑に行われる。
【００２４】
ここで、操作部材５０を移動させる際に、その突起５１ａが筒状部材１０のガイド溝１２ａに案内されるため、操作者は単に押圧力を加えるだけでも、操作部材５０を光軸方向Ｌに確実に移動させることができ、又、レンズ枠２０の突起２１ａが筒状部材１０のガイド溝１１ａに案内されるため、レンズ枠２０は光軸回りに回転することなく光軸方向Ｌにおいてのみ移動させられ、安定した光学特性を得ることができる。
【００２５】
以上述べたように、このレンズ駆動装置によれば、操作部材５０を手動により操作することで、永久磁石２２が発生する磁力を用いてレンズ枠２０を移動させるため、構造が簡単で、装置を小型化でき、操作を円滑かつ容易に行うことができ、又、駆動音等を生じることもない。
【００２６】
図４は、上記レンズ駆動装置を携帯電話機に搭載した実施例を示すものである。すなわち、携帯電話機は、種々の操作釦１１１が配置され内部に電子回路等を含む本体１１０、本体１１０のヒンジ部１２０に対して開閉自在に連結され種々の情報を表示するモニター１３１を備える蓋体１３０、ヒンジ部１２０の領域に設けられたカメラユニット１４０等を備えている。
【００２７】
カメラユニット１４０は、上記の構成をなすレンズ駆動装置と、レンズＧ３の後方に配置された撮像素子としてのＣＣＤ（不図示）と、種々の制御回路等を備えている。すなわち、小型化、軽量化が要求される携帯電話機において、簡略化，小型化された上記のレンズ駆動装置をカメラユニット１４０の一部として適用することができ、特に、ヒンジ部１２０のような配置スペースが狭い領域においても、容易に搭載することができる。
【００２８】
図５は、上記レンズ駆動装置を携帯型のパーソナルコンピュータに搭載した実施例を示すものである。すなわち、携帯型パーソナルコンピュータは、種々の操作釦２１１が配置され内部に電子回路等を含む本体２１０、本体２１０に開閉自在に連結され種々の情報を表示するモニター２３１を備える蓋体２３０、蓋体２３０の外縁領域に設けられたカメラユニット２４０等を備えている。
【００２９】
カメラユニット２４０は、上記の構成をなすレンズ駆動装置と、レンズＧ３の後方に配置された撮像素子としてのＣＣＤ（不図示）と、種々の制御回路等を備えている。すなわち、簡略化，小型化された上記のレンズ駆動装置をカメラユニット２４０の一部として適用することができ、特に、蓋体２３０の外縁領域のような配置スペースが狭い領域においても、容易に搭載することができる。
【００３０】
図６ないし図９は、本発明に係るレンズ駆動装置の他の実施形態を示すものであり、図６は装置の外観斜視図、図７は装置の分解斜視図、図８は装置の斜視断面図、図９は装置の断面図である。
【００３１】
このレンズ駆動装置は、図６ないし図９に示すように、円筒状の筒状部材１０´、筒状部材１０´に対して光軸方向Ｌに順次に配列されたレンズＧ１、レンズＧ２、レンズＧ３、レンズＧ２を保持すると共に内周面１１´に摺動自在に支持されたレンズ枠２０´、レンズＧ１を固定する固定枠３０´、レンズＧ３を固定する固定枠４０´、筒状部材１０´の外周面１２´に摺動自在に支持された操作部材５０´等を備えている。
【００３２】
筒状部材１０´は、図６ないし図９に示すように、樹脂材料により円筒状に形成されている。そして、その内周面１１´には、１２０度間隔で光軸方向Ｌに伸長する３つ（図中では２つを省略）のガイド溝１１ａ´が形成され、その外周面１２´には、所定の位置において光軸方向Ｌに配列された複数の凹凸からなるラック１２ａ´が形成されている。
【００３３】
レンズ枠２０´は、図７ないし図９に示すように、樹脂材料により形成され内側にレンズＧ２を保持する環状部２１´、環状部２１´の外周面において等間隔で接合された３つの永久磁石２２´、環状部２１´の一部から径方向の外側に向けて突出する３つの突起２１ａ´等により形成されている。
環状部２１´は、その外周面が筒状部材１０´の内周面１１´に沿ってガタツキなく摺動する外径寸法に形成されている。３つの突起２１ａ´は、筒状部材１０´の内周面１１´に形成されたガイド溝１１ａ´に入り込んで、光軸方向Ｌに案内されるようになっている。
すなわち、レンズ枠２０´は、筒状部材１０´の内周面１１´において、光軸方向Ｌにのみ移動自在に（摺動自在に）に支持されるようになっている。
【００３４】
固定枠３０´は、図８及び図９に示すように、樹脂材料により環状に形成された内側固定枠３１´及び外側固定枠３２´からなり、レンズＧ１を固定した内側固定枠３１´を筒状部材１０´の取付け凹部１３´に嵌め込んだ後に、外側固定枠３２´で押圧しつつ筒状部材１０´に連結して、レンズＧ１を所定の位置に固定するものである。したがって、レンズＧ１を筒状部材１０´に固定できるものであれば、その他の形状及び構造を採用することができる。
【００３５】
固定枠４０´は、樹脂材料により環状に形成されており、レンズＧ３を筒状部材１０´の取付け凹部１４´に嵌め込んで、外側から押圧しつつ筒状部材１０´に連結して、レンズＧ３を所定の位置に固定するものである。したがって、レンズＧ３を筒状部材１０´に固定できるものであれば、その他の形状及び構造を採用することができる。
【００３６】
操作部材５０´は、図６ないし図９に示すように、筒状部材１０´の外周面１２´に外嵌されて光軸方向Ｌに摺動するように、磁性体の金属材料を用いて環状に形成されている。そして、その内周面５１´よりも径方向の内側に向けて突出しかつ片持ち梁の先端に支持された噛合突起５１ａ´が形成されている。噛合突起５１ａ´は、筒状部材１０´の外周面１２´に形成されたラック１２ａ´に噛み合って、光軸方向Ｌの所望の位置に位置決めされるようになっている。
【００３７】
また、筒状部材１０´のラック１２ａ´は、外周面１２´よりも内側に入り込んだ位置に形成されてガイド溝としての機能も兼ね備えているため、操作部材５０´はこのラック１２ａ´の配列方向すなわち光軸方向Ｌに案内されるようになっている。
操作部材５０´は、全周においてレンズ枠２０´の永久磁石２２´と磁気的に吸引し合う金属部を画定するものである。
すなわち、操作部材５０´は、筒状部材１０´の外周面１２´において、光軸方向Ｌに移動自在に（摺動自在に）支持され、かつ、外部から衝撃等を受けても、噛合突起５１ａ´とラック１２ａ´との噛合関係により、光軸方向Ｌの所望の位置に保持されるようになっている。
【００３８】
尚、ここでは、操作部材５０´の全周が金属部を画定するように全体を金属材料により形成したが、レンズ枠２０´の永久磁石２２´と対応する角度領域においてのみ金属部を画定するように、操作部材５０´を樹脂材料により形成し、所定の角度領域に金属部としての金属片を埋設する構成を採用してもよい。
【００３９】
次に、この装置の組付け手順について説明する。
先ず、永久磁石２２´及びレンズＧ２を保持したレンズ枠２０´を、その突起２１ａ´がガイド溝１１ａ´に位置決めされるようにして、筒状部材１０´（の内周面１１´）に摺動自在に内嵌させる。
続いて、操作部材５０´を、噛合突起５１ａ´がラック１２ａ´と対応する位置に位置決めされるようにして、筒状部材１０´（の外周面１２´）に摺動自在に外嵌させる。
続いて、レンズＧ１を取り付けた内側固定枠３１´を筒状部材１０´の取付け凹部１３´に嵌め込み、外側固定枠３２´を筒状部材１０´に嵌合してレンズＧ１を固定する。
また、筒状部材１０´の取付け凹部１４´にレンズＧ３を嵌め込み、固定枠４０´を筒状部材１０´に嵌合してレンズＧ３を固定する。
これにより、レンズ駆動装置の組付けが完了する。このように、部品点数が少なく、構造が簡単であるが故に、組付け作業を簡単に行うことができる。
【００４０】
次に、この装置の動作について説明すると、操作者が、操作部材５０´を掴んで光軸方向Ｌに移動させると、操作部材５０´とレンズ枠２０´の永久磁石２２´との間に発生する磁力（磁気的吸引力）により、操作部材５０´の移動に追従してレンズ枠２０´が光軸方向Ｌに移動し、レンズＧ２が光軸方向Ｌの所望の位置に移動させられる。これにより、ズーミング操作（あるいは、フォーカッシング操作）が容易にかつ円滑に行われる。
【００４１】
ここで、操作部材５０´を移動させる際に、噛合突起５１ａ´がラック１２ａと常に噛合した状態にあるため、外部から衝撃力等を受けても、操作部材５０´を光軸方向Ｌの所望の位置に保持することができ、それ故に衝撃力が比較的小さい場合には、操作部材５０´との間に生じる磁気的吸引力を介してレンズ枠２０´（レンズＧ２）をずれることなく所望の位置に保持することができる。
また、噛合突起５１ａ´が筒状部材１０´のラック１２ａ´に噛合しつつ光軸方向Ｌに案内されるため、操作者は単に押圧力を加えるだけでも、操作部材５０´を光軸方向Ｌに確実に移動させることができ、又、レンズ枠２０´の突起２１ａ´が筒状部材１０´のガイド溝１１ａ´に案内されるため、レンズ枠２０´は光軸回りに回転することなく光軸方向Ｌにおいてのみ移動させられ、安定した光学特性を得ることができる。
【００４２】
このように、噛合突起５１ａ´及びラック１２ａ´は、光軸方向Ｌにおける位置決め機能だけでなく、光軸回りの回転を規制して光軸方向Ｌにのみ案内する突起とガイド溝との役割も兼ねるため、別々に設ける場合に比べて、構造を簡略化することができる。
【００４３】
以上述べたように、このレンズ駆動装置によれば、操作部材５０´を手動により操作することで、永久磁石２２´が発生する磁力を用いてレンズ枠２０´を移動させるため、構造が簡単で、装置を小型化でき、操作を円滑かつ容易に行うことができ、又、駆動音等を生じることもない。
また、この実施形態におけるレンズ駆動装置も、構造の簡略化、小型化、軽量化等が達成されるため、前述の図４及び図５に示すように、カメラユニット１４０，２４０の一部として、携帯電話機あるいは携帯型パーソナルコンピュータ等に容易に搭載することができる。
【００４４】
上記実施形態においては、レンズ枠２０，２０´に永久磁石２２，２２´を設け、操作部材５０，５０´に金属部を設ける構成を示したが、これに限定されるものではなく、レンズ枠に金属部を設け、操作部材に永久磁石を設ける構成を採用してもよい。
また、上記実施形態においては、磁石として永久磁石２２，２２´を採用した場合を示したが、電磁石を採用してもよい。
上記実施形態においては、操作部材５０，５０´により駆動されるレンズ枠（レンズ）として、一つのレンズ枠２０，２０´（レンズＧ２）を示したが、これに限定されるものではなく、２つ以上のレンズ枠（レンズ）を駆動する構成において、本発明を採用してもよい。
【産業上の利用可能性】
【００４５】
以上述べたように、本発明のレンズ駆動装置は、構造の簡略化、小型化、軽量化等が達成されつつ、ズーミングあるいはフォーカッシング操作を手動により容易に行うことができるため、小型化、軽量化等が要求される携帯電話機、携帯型パーソナルコンピュータ等の携帯情報端末機に使用することができるのは勿論のこと、その他の光学機器においてもレンズの駆動装置として同様に適用することができる。
【図面の簡単な説明】
【００４６】
【図１】本発明に係るレンズ駆動装置の一実施形態を示すものであり、（ａ）はその外観斜視図、（ｂ）はその一部断面を含む斜視図である。
【図２】図１に示す装置の一部を示すものであり、（ａ）は筒状部材を示す斜視図、（ｂ）はレンズ枠を示す斜視図である。
【図３】図１に示す装置の断面図である。
【図４】図１に示すレンズ駆動装置を搭載した携帯電話機を示す外観斜視図である。
【図５】図１に示すレンズ駆動装置を搭載した携帯型パーソナルコンピュータを示す外観斜視図である。
【図６】本発明に係るレンズ駆動装置の他の実施形態を示す外観斜視図である。
【図７】図６に示す装置の分解斜視図である。
【図８】図６に示す装置の斜視断面図である。
【図９】図６に示す装置の断面図である。
【符号の説明】
【００４７】
Ｌ  光軸方向
Ｇ１，Ｇ２，Ｇ３  レンズ
１０，１０´  筒状部材
１１，１１´  内周面
１１ａ，１１ａ´  ガイド溝
１２，１２  外周面
１２ａ  ガイド溝
１２ａ´  ラック
１３，１３´，１４，１４´  取付け凹部
２０，２０  レンズ枠
２１，２１´  環状部
２１ａ，２１ａ´  突起
２２，２２´  永久磁石
３０，３０´，４０，４０´  固定枠
５０，５０´  操作部材
５１，５１´  内周面
５１ａ  突起
５１ａ´  噛合突起
１１０，２１０  本体
１１１，２１１  操作釦
１２０  ヒンジ部
１３０，２３０  蓋体
１３１，２３１  モニター
１４０，２４０  カメラユニット
【図１】
2005266360.tif 000003
【図２】
2005266360.tif 000004
【図３】
2005266360.tif 000005
【図４】
2005266360.tif 000006
【図５】
2005266360.tif 000007
【図６】
2005266360.tif 000008
【図７】
2005266360.tif 000009
【図８】
2005266360.tif 000010
【図９】
2005266360.tif 000011